(57)【要約】【課題】生体情報の測定結果の経時的な変化を測定項目毎に適切にユーザに提供することのできる生体情報測定装置を提供する。【解決手段】この生体情報測定装置１０は、生体情報について複数の測定項目の測定を行う本体測定部２０および把持測定部３０と、複数の測定項目の測定結果を記憶する記憶部と、複数の測定項目のそれぞれを表示する表示部５０とを含む。そして、所定の測定項目について最新の測定結果と過去の測定結果とを比較することができる。また、最新の測定結果との比較対象となる過去の測定結果の取得時期である比較対象時期を変更することができる。また、同比較対象時期としての基準の比較時期が複数の測定項目のそれぞれに対して予め設定されている。【選択図】図１
2011200462.tif 000002
【特許請求の範囲】
【請求項１】
生体情報について複数の測定項目の測定を行う測定部と、前記複数の測定項目の測定結果を記憶する記憶部と、前記複数の測定項目のそれぞれを表示する表示部とを含む生体情報測定装置において、
所定の測定項目について最新の測定結果と過去の測定結果とを比較することができること、および最新の測定結果との比較対象となる過去の測定結果の取得時期である比較対象時期を変更することができること、および同比較対象時期としての基準の比較時期が前記複数の測定項目のそれぞれに対して予め設定されていること
を特徴とする生体情報測定装置。
【請求項２】
請求項１に記載の生体情報測定装置において、
前記複数の測定項目の少なくとも１つについて前記比較対象時期をユーザの操作により変更することができる
ことを特徴とする生体情報測定装置。
【請求項３】
請求項１または２に記載の生体情報測定装置において、
所定の測定項目についての測定が終了したときに最新の測定結果と過去の測定結果との差を前記表示部に表示する
ことを特徴とする生体情報測定装置。
【請求項４】
請求項１〜３のいずれか一項に記載の生体情報測定装置において、
体脂肪率についての前記比較対象時期として、体重についての前記比較対象時期よりも過去の時期を設定する
ことを特徴とする生体情報測定装置。
【請求項５】
請求項１〜４のいずれか一項に記載の生体情報測定装置において、
骨量についての前記比較対象時期として、体脂肪率についての前記比較対象時期よりも過去の時期を設定する
ことを特徴とする生体情報測定装置。
【請求項６】
請求項１〜５のいずれか一項に記載の生体情報測定装置において、
最新の測定結果と過去の測定結果との比較を行う対象となる測定項目をユーザの操作により選択することができる
ことを特徴とする生体情報測定装置。
【発明の詳細な説明】
【技術分野】
【０００１】
本発明は、生体情報について複数の測定項目の測定を行う測定部と、複数の測定項目の測定結果を記憶する記憶部と、複数の測定項目のそれぞれを表示する表示部とを含む生体情報測定装置に関する。
【背景技術】
【０００２】
この種の生体情報測定装置としては、例えば特許文献１に記載のものが知られている。
この文献の生体情報測定装置では、複数の項目について今回の測定結果および過去の測定結果（例えば前日）をそれぞれ表示部に表示することにより、ユーザが測定結果の対比を確認できるようにしている。
【先行技術文献】
【特許文献】
【０００３】
【特許文献１】特開２００９−６３３０６号公報
【発明の概要】
【発明が解決しようとする課題】
【０００４】
しかし上記生体情報測定装置では、複数の項目が過去の同じ時期の測定結果と対比されるため、測定項目によっては今回の測定結果と過去の測定結果との間に実質的な違いが見られないこともある。
【０００５】
例えば、体重および骨量の２つの測定項目について本日の測定結果および前日の測定結果を表示する生体情報測定装置を想定すると、この装置では次のことが問題となる。すなわち、体重は日毎に変動するため、本日の体重の測定結果と前日の体重の測定結果との対比に実質的な差が現れやすい。一方、骨量は日毎の変動が体重よりも小さいため、ユーザが骨量の測定を毎日継続してもほとんどの日においては、本日の骨量の測定結果と前日の骨量の測定結果との間に実質的な差が見られない。
【０００６】
本発明はこのような課題に着目してなされたものであり、その目的は、生体情報の測定結果の経時的な変化を測定項目毎に適切にユーザに提供することのできる生体情報測定装置を提供することにある。
【課題を解決するための手段】
【０００７】
本発明の生体情報測定装置は、生体情報について複数の測定項目の測定を行う測定部と、前記複数の測定項目の測定結果を記憶する記憶部と、前記複数の測定項目のそれぞれを表示する表示部とを含む生体情報測定装置において、所定の測定項目について最新の測定結果と過去の測定結果とを比較することができること、および最新の測定結果との比較対象となる過去の測定結果の取得時期である比較対象時期を変更することができること、および同比較対象時期としての基準の比較時期が前記複数の測定項目のそれぞれに対して予め設定されていることを特徴とする。
【０００８】
この生体情報測定装置において、前記複数の測定項目の少なくとも１つについて前記比較対象時期をユーザの操作により変更することができることが好ましい。
この生体情報測定装置において、所定の測定項目についての測定が終了したときに最新の測定結果と過去の測定結果との差を前記表示部に表示することが好ましい。
【０００９】
この生体情報測定装置において、体脂肪率についての前記比較対象時期として、体重についての前記比較対象時期よりも過去の時期を設定することが好ましい。
この生体情報測定装置において、骨量についての前記比較対象時期として、体脂肪率についての前記比較対象時期よりも過去の時期を設定することが好ましい。
【００１０】
この生体情報測定装置において、最新の測定結果と過去の測定結果との比較を行う対象となる測定項目をユーザの操作により選択することができることが好ましい。
【発明の効果】
【００１１】
本発明によれば、生体情報の測定結果の経時的な変化を測定項目毎に適切にユーザに提供することのできる生体情報測定装置を提供することができる。
【図面の簡単な説明】
【００１２】
【図１】本発明の第１実施形態の生体情報測定装置について、（ａ）は本体測定部に把持測定部が取り付けられた状態を示す全体斜視図、（ｂ）は本体測定部から把持測定部が取り外された状態を示す全体斜視図。
【図２】同実施形態の生体情報測定装置について、その電気的構成を示すブロック図。
【図３】同実施形態の生体情報測定装置を用いた生体情報の測定手順を示すフローチャート。
【図４】同実施形態の表示部を拡大した拡大図。
【図５】測定項目に対する比較対象時期を設定したテーブル。
【図６】本発明の第２実施形態における生体情報測定装置について、その表示部を拡大した拡大図。
【発明を実施するための形態】
【００１３】
（第１実施形態）
図１〜図５を参照して、本発明の第１実施形態について説明する。
図１に、生体情報測定装置１０の構成を示す。なお、図１（ａ）は、把持測定部３０が本体測定部２０に取り付けられた状態を示す。また図１（ｂ）は、同把持測定部３０が同本体測定部２０から取り外された状態を示す。
【００１４】
生体情報測定装置１０は、生体情報の測定のためにユーザの両足が載せられる本体測定部２０と、生体情報の測定のためにユーザにより把持される把持測定部３０とを含む。本体測定部２０と把持測定部３０とは通信用のコード２８により互いに接続されている。
【００１５】
本体測定部２０には、複数の電極等を有する載置部２１と、生体情報測定装置１０の電源をオンおよびオフするための電源スイッチ２６と、把持測定部３０を収容するためのホルダ２７とが設けられている。
【００１６】
載置部２１には、インピーダンスを測定するための足電極２２が設けられている。足電極２２としては、生体に電流を供給するための一対の足通電電極２３、および生体内を流れる電流の電圧を測定するための一対の足測定電極２４が設けられている。各電極２３，２４の下方には荷重センサ２５が設けられている。
【００１７】
把持測定部３０には、生体情報の測定時にユーザにより把持される把持部３１と、生体情報の測定のためにユーザにより操作されるとともに測定結果が表示される入出力部３２とが設けられている。
【００１８】
把持部３１には、生体のインピーダンスを測定するための手電極３３が設けられている。手電極３３としては、生体に電流を供給するための一対の手通電電極３４、および生体内を流れる電流の電圧を測定するための一対の手測定電極３５が設けられている。
【００１９】
入出力部３２には、生体情報の測定のために必要となる情報の入力等のためにユーザにより操作される入力部４０と、生体情報の測定結果等を表示する表示部５０とが設けられている。
【００２０】
入力部４０には、ユーザ毎に予め登録されたユーザ情報を呼び出すためのユーザ選択ボタン４１、およびユーザが各種の情報を入力するときに数値や項目の内容等を変更するための表示選択ボタン４２が設けられている。またこの他に、過去の生体情報との測定結果を表示するための比較ボタン４３、表示部５０に表示される測定項目の測定結果を切り替えるための切替ボタン４４が設けられている。なお、ユーザによる各ボタンの操作態様について、「ボタンを操作する」および「ボタンを長押しする」旨の動作は、それぞれ「短時間だけボタンを押し下げる動作」および「前者よりも長い時間にわたりボタンを押し下げた状態を維持する動作」を示す。
【００２１】
図２を参照して、生体情報測定装置１０の電気的な構成について説明する。
生体情報測定装置１０は、生体情報の測定を行うための電極等を含む計測部７０と、入力部４０から送信された情報等に基づく演算、ならびに計測部７０および表示部５０の動作制御を行う制御部６０を含む。またこの他に、制御部６０の演算結果が記憶されるとともに制御部６０での演算に必要となる計算式等が予め記憶された記憶部８０とを含む。制御部６０には、各種の演算を行う演算部６１が設けられている。
【００２２】
入力部４０および計測部７０および記憶部８０と制御部６０との間では次のように信号の送受信が行われる。すなわち制御部６０には、入力部４０により入力されたユーザ情報等、荷重センサ２５の検出値、足電極２２の検出値および手電極３３の検出値が入力される。また記憶部８０には、制御部６０に入力されたユーザ情報等および各検出値、ならびに制御部６０の演算結果のうち、生体情報の測定等のために必要なものが入力および記憶される。また、記憶部８０に記憶されたデータ、および記憶部８０に予め記憶されている演算式等のデータは必要に応じて制御部６０により読み出される。また足電極２２および手電極３３には、通電のための指令信号が制御部６０から送信される。また表示部５０には、表示のための指令信号が制御部６０から送信される。
【００２３】
演算部６１は、生体情報について複数の測定項目の演算を行う。すなわち、図５に示される「体重」、「ＢＭＩ」、「体脂肪率」、「筋肉レベル」、「基礎代謝」、「内臓脂肪レベル」、「皮下脂肪率」、「骨量」、「体組成年齢」、「バランス年齢」、「重心バランス」を算出する。
【００２４】
各測定項目は以下のように算出される。なお、ここでは各測定項目の算出に用いられる主要な項目のみを示している。実際には、さらに別の項目を含めて各測定項目の算出を行うことができる。
・ＢＭＩは、体重の演算値およびユーザの身長データに基づいて算出される。
・体脂肪率は、インピーダンスの演算値に基づいて算出される。
・筋肉レベルは、体脂肪率およびインピーダンスの演算値に基づいて算出される。
・基礎代謝は、体重および体脂肪率の演算値に基づいて算出される。
・内臓脂肪レベルは、体脂肪率の演算値に基づいて算出される。
・皮下脂肪率は、インピーダンスの演算値に基づいて算出される。
・骨量は、インピーダンスの演算値に基づいて算出される。
・体組成年齢は、体脂肪率、基礎代謝および筋肉レベルの演算値に基づいて算出される。
・バランス年齢は、荷重センサ２５の出力値に基づいて算出される。
・重心バランスは、荷重センサ２５の出力値に基づいて算出される。
【００２５】
バランス年齢および重心バランスの内容について補足する。
バランス年齢は、ユーザのバランスをとる能力を評価するための測定項目であり、次の手順で算出される。まず、荷重センサ２５の出力値に基づいて測定時の重心位置の変化が記憶される。次に、単位時間あたりの重心位置の変化量と標準的な変化量との差が算出される。そして、予め定められた重心位置の変化量の差とバランス年齢との関係に基づいて、上記算出した変化量の差に応じたバランス年齢が算出される。
【００２６】
重心バランスは、ユーザの重心位置が標準的な重心に対してどの程度ずれているかを評価するための測定項目であり、次の手順で算出される。まず、荷重センサ２５の出力値に基づいて重心位置の変化が記憶される。次に、重心位置の変化からユーザの重心位置が推定される。そして、推定した重心位置と標準的な重心位置との差に応じて重心バランスが算出される。
【００２７】
図３を参照して、生体情報の測定手順について説明する。
ステップＳ１１０では、ユーザにより電源スイッチ２６がオフからオンに切り替えられる。
【００２８】
ステップＳ１２０では、ユーザによりユーザ選択ボタン４１が操作されたか否かの確認が制御部６０により行われる。
ステップＳ１２０では、対応するユーザ情報がすでに登録されているユーザ選択ボタン４１が操作されたか、または新たにユーザ登録をするためのユーザ選択ボタン４１の操作が行われたかの確認が制御部６０により行われる。
【００２９】
ユーザ情報がすでに登録されているユーザ選択ボタン４１が操作されたとき、ステップＳ１４０の作業が行われる。一方、新たにユーザ登録をするためのユーザ選択ボタン４１の操作が行われたとき、すなわちユーザ選択ボタン４１の長押しまたは対応するユーザ情報が存在しないユーザ選択ボタン４１の操作が行われたとき、ステップＳ１３０の作業が行われる。
【００３０】
ステップＳ１３０では、ユーザによりユーザ情報の登録が行われる。ここでは、ユーザ情報としてユーザを識別するための情報、すなわち年齢、性別、身長が入力される。
ステップＳ１４０では、過去の測定結果との対比が必要となる測定項目の指定すなわち、生体情報の測定終了後に表示部５０に今回の測定結果と過去の測定結果との比較結果を表示する対象となる測定項目（以下、「比較指定項目」）の指定がユーザにより行われる。ユーザが比較指定項目の変更を必要としないときには、所定の操作によりステップＳ１４０の作業が省略される。
【００３１】
ステップＳ１５０では、生体情報の測定のために必要な情報が全て登録されているか否かの確認が制御部６０により行われる。ここでは、ユーザ選択および表示項目の選択が完了しているか否かを問うメッセージが表示部５０に表示される。このメッセージに対して、完了していない旨の回答がユーザにより選択されたとき、ステップＳ１２０の作業が再び行われる。一方、完了している旨の回答がユーザにより選択されたとき、ステップＳ１６０の作業が行われる。
【００３２】
ステップＳ１５０では、生体情報の測定のために必要な情報が全て登録されているか否かの確認が制御部６０により行われる。ここでは、ユーザ選択および表示項目の選択が完了しているか否かを問うメッセージが表示部５０にされる。このメッセージに対して、完了していない旨の回答がユーザにより選択されたとき、ステップＳ１２０の作業が再び行われる。一方、完了している旨の回答がユーザにより選択されたとき、ステップＳ１６０の作業が行われる。
【００３３】
ステップＳ１６０では、体重の測定および重心位置の測定が本体測定部２０により行われる。このときに測定された体重は、体重についての今回の測定結果として記憶部８０に記憶される。また、重心位置は演算部６１によりバランス年齢および重心バランスを算出するための参照データとして記憶部８０に記憶される。
【００３４】
ステップＳ１７０では、インピーダンスの測定が本体測定部２０または把持測定部３０により行われる。ユーザが把持測定部３０を把持していないとき、足電極２２を用いてインピーダンスの測定が行われる。ユーザが把持測定部３０を把持しているとき、足電極２２および手電極３３の両方を用いてインピーダンスの測定が行われる。インピーダンスの測定は以下の手順で行われる。
【００３５】
ユーザが把持測定部３０を把持していないときには、足通電電極２３により生体への通電が行われ、足測定電極２４により生体を流れる電流の電圧が測定される。そして、演算部６１により測定電圧に基づいてインピーダンスが算出される。
【００３６】
ユーザが把持測定部３０を把持しているときには、足通電電極２３および手通電電極３４により生体への通電が行われ、足測定電極２４および手測定電極３５により生体を流れる電流の電圧が測定される。そして、演算部６１により測定電圧に基づいてインピーダンスが算出される。
【００３７】
ステップＳ１８０では、予め登録されているユーザ情報、体重、重心位置およびインピーダンスの測定結果に基づいて、各測定項目についての数値またはレベルが算出される。すなわち、「ＢＭＩ」、「体脂肪率」、「筋肉レベル」、「基礎代謝」、「内臓脂肪レベル」、「皮下脂肪率」、「骨量」、「体組成年齢」、「バランス年齢」および「重心バランス」を示す数値またはレベルが算出される。
【００３８】
ステップＳ１９０では、上記ステップＳ１８０で算出された測定項目の演算値のうち、いずれの測定項目が比較指定項目に設定されているかが制御部６０により確認される。
ステップＳ２００では、各測定項目の今回の測定結果が表示部５０に表示される。ユーザにより切替ボタン４４が操作される毎に表示される測定項目の内容が切り替えられる。切替ボタン４４の操作による測定項目の表示順序は予め定められている。また、ユーザにより比較ボタン４３が操作されたときには、過去の測定結果および同結果との比較結果も併せて表示される。
【００３９】
図４および図５を参照して、各測定項目の測定結果の比較の詳細について説明する。
生体情報測定装置１０では、比較指定項目に設定された測定項目が表示部５０に表示されている状態において、ユーザにより比較ボタン４３が操作されたとき、今回の測定結果に併せて、比較対象時期の過去の測定結果、および同測定結果との差を表示する。
【００４０】
図５に示されるように、今回の測定結果との比較対象となる過去の測定結果の取得時期を比較対象時期として、この比較対象時期の基準である基準の比較時期が各測定項目のそれぞれに対して予め設定されている。ここでは、各測定項目が日毎の変動のしやすさに応じて３つのグループに分類され、グループ毎に好ましい基準の比較時期が以下のように予め設定されている。
【００４１】
「体重」および「ＢＭＩ」を含むグループＡの測定項目は、日毎に変化しやすいことにより、測定日の前日の測定結果と比較しても実質的な差がみられやすいため、基準の比較時期が「１日前」に設定されている。
【００４２】
「体脂肪率」、「筋肉レベル」、「基礎代謝」、「内臓脂肪レベル」および「皮下脂肪率」を含むグループＢの測定項目は、少なくとも測定日から１週間前に遡った測定結果との比較により実質的な差が確認しやすくなるため、基準の比較時期が「１週間前」に設定されている。
【００４３】
「骨量」、「体組成年齢」、「バランス年齢」および「重心バランス」を含むグループＣの測定項目は、少なくとも測定日から１ヶ月前に遡った測定結果との比較により実質的な差が確認しやすくなるため、基準の比較時期が「１ヶ月前」に設定されている。
【００４４】
測定結果の比較は、具体的には次の手順で行われる。
（手順１）今回の測定が終了したとき、比較対象時期として指定されている過去の測定結果のデータが読み出される。比較対象時期がユーザにより変更されていない場合には、基準の比較時期の測定結果のデータが読み出される。比較対象時期がユーザにより変更されている場合には、ユーザにより指定された比較対象時期の測定結果のデータが読み出される。
【００４５】
（手順２）今回の測定結果のデータと上記（手順１）で読み出した過去の測定結果のデータとの差である比較差を算出する。測定項目がレベルにより評価されるものである場合には、レベルの違いを比較差として算出する。ここでは、全ての測定項目についての比較差を算出する。
【００４６】
（手順３）比較指定項目に設定された測定項目が表示部５０に表示されている状態において、ユーザにより比較ボタン４３が操作されたとき、今回の測定結果のデータ、過去の測定結果のデータ、および上記（手順２）で算出した比較差の結果を表示部５０に表示する。ユーザにより比較ボタン４３が長押しされたときには、過去の測定結果および比較差の表示をオフにする。
【００４７】
（手順４）上記（手順３）により今回の測定結果等を表示している状態において、ユーザにより比較ボタン４３が操作されたとき、比較対象時期よりも過去の測定結果のデータとの比較結果を表示する。
【００４８】
例えば、体重について、今回の測定結果、比較対象時期（基準の比較時期）である１日前の測定結果、および比較差を表示している状態において、比較ボタン４３が操作されたとき、今回の測定結果との比較対象を２日前の測定結果に変更する。そして表示部５０には、今回の測定結果、２日前の測定結果、およびその比較差を表示する。なお、このときにもユーザにより比較ボタン４３が長押しされたときには、過去の測定結果および比較差の表示をオフにする。
【００４９】
比較ボタン４３が操作されたときに新たに比較対象とする時期については、以下のように測定項目のグループ毎に予め定められている。
・グループＡの測定項目については、比較ボタン４３が操作される毎に「２日前」、「３日前」、「１週間前」、「２週間前」、「１ヶ月前」、「２ヶ月前」、「３ヶ月前」、「６ヶ月前」および「１年前」の順に比較対象とする時期が変更される。
・グループＢの測定項目については、比較ボタン４３が操作される毎に「２週間前」、「１ヶ月前」、「２ヶ月前」、「３ヶ月前」、「６ヶ月前」および「１年前」の順に比較対象とする時期が変更される。
・グループＣの測定項目については、比較ボタン４３が操作される毎に「２ヶ月前」、「３ヶ月前」、「６ヶ月前」および「１年前」の順に比較対象とする時期が変更される。
【００５０】
比較対象時期の測定結果のデータが存在しないとき、すなわち比較対照時期に生体情報の測定が行われていないときには、以下の（ａ）〜（ｃ）のいずれかの方法により今回の測定結果と過去の測定結果との比較が行われる。
（ａ）測定結果のデータが存在する日のうち基準の比較時期に最も近い日のデータと今回の測定結果とを比較する。
（ｂ）測定結果のデータが存在する日のうち今回の測定日に最も近い日のデータと今回の測定結果とを対比する。
（ｃ）測定結果のデータが存在する日のうち基準の比較対象時期とは別に予め設定した第２の基準の比較対象時期のデータと今回の測定結果とを比較する。
【００５１】
本実施形態の生体情報測定装置によれば、以下の効果を奏することができる。
（１）生体情報測定装置１０では、比較対象時期としての基準の比較時期を複数の測定項目のそれぞれに対して予め設定している。これにより、生体情報の測定結果の経時的な変化を測定項目毎に適切にユーザに提供することができる。
【００５２】
（２）生体情報測定装置１０では、各測定項目についての比較対象時期として基準の対象時期を予め設定している。これにより、ユーザが各測定項目についての比較対象時期を設定する作業を行わなくとも、今回の測定結果と過去の測定結果との比較結果を確認することができるため、生体情報測定装置１０の使い勝手を良いものにすることができる。
【００５３】
（３）生体情報測定装置１０では、最新の測定結果と過去の測定結果との比較差を表示部５０に表示している。これにより、過去の測定時からの変化を容易に把握することができる。
【００５４】
（４）生体情報測定装置１０では、比較ボタン４３が操作されたとき、今回の測定結果、過去の測定結果、およびこれら測定結果の比較差を表示部５０に一度に表示している。これにより、ユーザが測定項目についての変化を容易に把握することができる。
【００５５】
（５）生体情報測定装置１０では、ユーザにより比較ボタン４３が押される毎に比較対象時期を基準の対象時期よりも過去に時期に変更している。これにより、ユーザが比較対象時期を予め基準の対象時期とは異なるものに設定する作業を行わなくとも、基準の対象時期とは異なる比較対象時期との比較結果を確認することができる。
【００５６】
（６）生体情報測定装置１０では、体脂肪率についての比較対象時期を体重についての比較対象時時期よりも過去の時期に設定している。これにより、過去のデータと比較した際に、実質的に差のある比較結果が得られやすくなる。
【００５７】
（７）生体情報測定装置１０では、骨量についての比較対象時期を体脂肪率についての比較対象時時期よりも過去の時期に設定している。これにより、過去のデータと比較した際に、実質的に差のある比較結果が得られやすくなる。
【００５８】
（第２実施形態）
図６を参照して、本発明の第２実施形態について説明する。なお以下では、第１実施形態の構成からの変更点を中心に説明し、同実施形態と共通する構成については同一の符合を付してその説明を省略する。
【００５９】
第１実施形態の生体情報測定装置１０では、生体情報の測定が終了した後、１つの測定項目について、今回の測定結果および過去の測定結果および比較差を表示部５０に表示している。
【００６０】
これに対して本実施形態の生体情報測定装置１０では、生体情報の測定が終了した後、１つの測定項目についての今回の測定結果および過去の測定結果および比較差に加え、別の測定項目の測定結果を表示部５０に表示する。
【００６１】
例えば、今回の測定結果と過去の測定結果との比較差を表示する対象として「体重」が選択されたとき、比較ボタン４３の操作により体重についての今回の測定結果および過去の測定結果および比較差に併せて、基礎代謝の測定結果が表示部５０に表示される。基礎代謝については、今回の測定結果、および年齢毎の基準値との比較差が表示される。
【００６２】
本実施形態によれば、先の第１実施形態による（１）の効果、すなわち生体情報の測定結果の経時的な変化を測定項目毎に適切にユーザに提供することができる旨の効果、ならびに（２）〜（７）の効果に加えて、以下に効果を奏することができる。
【００６３】
（８）生体情報測定装置１０では、１つの測定項目についての測定結果等に加え、別の測定項目の測定結果等を表示している。これにより、ユーザが複数の測定項目の測定結果等を一度に確認できるため、当該生体情報測定装置１０の使い勝手をより良いものにすることができる。
【００６４】
（その他の実施形態）
本発明の生体情報測定装置の実施態様は、上記各実施形態にて例示した実施態様に限られるものではなく、例えば以下に示すように変更することもできる。また、以下に示される各変形例は、対応する実施形態にのみ適用されるものではなく、異なる変形例同士を互いに組み合わせて実施することもできる。
【００６５】
・上記第２実施形態では、所定の測定項目の測定結果等を表示しているときに、さらに予め定められた測定項目の測定結果等を併せて表示部５０に表示したが、併せて表示する測定項目の内容をユーザが予め指定することもできる。
【００６６】
・上記各実施形態では、生体情報の測定が終了したとき、全ての測定項目についての比較差を算出したが、比較指定項目に設定されている測定項目についてのみ比較差を算出することもできる。
【００６７】
・上記各実施形態では、比較対象時期を測定項目毎に予め設定したが、比較対象時期をユーザが選択する構成に変更することもできる。
・上記各実施形態では、比較ボタン４３が操作されたときに新たに比較対象とする時期を測定項目のグループ毎に予め定めているが、ユーザが事前に同時期を設定することもできる。
【００６８】
・上記各実施形態では、比較ボタン４３が操作されたときに過去の測定結果および比較差を表示部５０に表示したが、比較差を省略することもできる。
・上記各実施形態では、各測定項目についての基準の比較時期を図５に示される内容に設定したが、基準の比較時期の内容は同実施形態に例示した内容に限られるものではない。例えば、
（ａ）体重およびＢＭＩについて、基準の比較時期を２日前〜１週間前のいずれかの時期に変更する。
（ｂ）体脂脂肪率、筋肉、基礎代謝、内臓脂肪レベルおよび皮下脂肪率について、基準の比較時期を８日前〜１ヶ月前のいずれかの時期に変更する。
（ｃ）骨量、体組成年齢、バランス年齢および重心バランスについて、基準の比較時期を１ヶ月と１日前〜３ヶ月前のいずれかの時期に変更する。
【００６９】
・上記各実施形態では、複数の測定項目を３つのグループに分類して、グループ毎に基準の比較時期を設定したが、測定項目毎に個別に基準の比較時期を設定することもできる。その一例として、例えば以下の（ａ）〜（ｃ）の設定態様が挙げられる。
（ａ）体重およびＢＭＩの間で基準の比較時期を互いに異なるものにする。
（ｂ）体脂脂肪率、筋肉、基礎代謝、内臓脂肪レベルおよび皮下脂肪率の間で基準の比較時期を互いに異なるものにする。
（ｃ）骨量、体組成年齢、バランス年齢および重心バランスの間で基準の比較時期を互いに異なるものにする。
【００７０】
・上記各実施形態では、切替ボタン４４の操作に基づいて全ての測定項目を順番に表示したが、切替ボタン４４の操作に基づいて表示される測定項目を予め設定することもできる。この場合には、ユーザが表示を必要としない測定項目が表示されないため、全ての測定項目が順番に表示される場合と比較して、生体情報測定装置１０の使い勝手がより良いものになる。
【００７１】
・上記各実施形態では、比較指定項目に設定された測定項目が表示部５０に表示されている状態において、ユーザにより比較ボタン４３が操作されたとき、過去の測定結果および比較差を表示部５０に一度に表示したが、今回の測定結果および過去の測定結果および比較差を順に表示することもできる。なお、この場合の表示の順序としては、今回の測定結果を最初にすることが望ましいが、過去の測定結果または比較差を最初にすることもできる。
【００７２】
・上記各実施形態では、生体情報の測定の終了後に比較ボタン４３が操作されることに基づいて過去の測定結果および比較差を表示部５０に表示したが、表示方法を次のように変更することもできる。すなわち、生体情報の測定の終了後、比較ボタン４３の操作に代えて自動的に過去の測定結果および比較差を表示部５０に表示することもできる。
【００７３】
・上記各実施形態では、切替ボタン４４の操作に基づいて表示部５０に表示する測定項目を切り替えたが、切替ボタン４４の操作に代えて、一定時間が経過することに基づいて表示部５０の表示内容を自動的に切り替えることもできる。
【００７４】
・上記各実施形態では、通電電極および測定電極を用いて生体のインピーダンスを測定し、この測定結果に基づいて生体情報の各測定項目の数値を演算したが、生体情報の測定方法を次のように変更することもできる。すなわち、光源および受光素子を用いて生体を伝播する光量を測定し、この測定結果に基づいて生体情報の各測定項目の数値を演算することもできる。この場合には、さらに皮下脂肪の厚みを測定することが可能となる。
【００７５】
・上記各実施形態では、入出力部３２を把持測定部３０に設けたが、入出力部３２を本体測定部２０に設けることもできる。
・上記各実施形態では、本体測定部２０および把持測定部３０を含めて生体情報測定装置１０を構成したが、本体測定部２０を省略した形態の生体情報測定装置１０とすることもできる。また、把持測定部３０を省略した形態の生体情報測定装置１０とすることもできる。
【００７６】
・上記各実施形態では、ユーザが把持測定部３０を把持しているとき、足電極２２および手電極３３の双方を用いてインピーダンスの測定を行うが、手電極３３または足電極２２の一方のみを用いてインピーダンスの測定を行うこともできる。
【００７７】
・上記各実施形態では、本体測定部２０内に制御部６０を設けたが、把持測定部３０内に制御部６０を設けることもできる。
・上記各実施形態では、図５に示される各測定項目を測定しているが、これらの測定項目の少なくとも１つを測定項目から除外することもできる。
【００７８】
・上記各実施形態では、本体測定部２０と測定部３０との通信のためにコード２８を設けたが、コード２８省略して本体測定部２０と測定部３０とのそれぞれに電波、光などを用いたワイヤレスの通信機能をもたせることもできる。
【符号の説明】
【００７９】
１０…生体情報測定装置、２０…本体測定部（測定部）、３０…把持測定部（測定部）、５０…表示部、８０…記憶部。
【図１】
2011200462.tif 000003
【図２】
2011200462.tif 000004
【図３】
2011200462.tif 000005
【図４】
2011200462.tif 000006
【図５】
2011200462.tif 000007
【図６】
2011200462.tif 000008